(57)【要約】  本発明は、ＭＲＩ装置１４、特にＭＲガイド放射線治療システム１０のＭＲＩ装置１４に対する機器３４に関し、機器３４は、機器３４の電気回路ループ６８の少なくとも１つの導電部分を覆う少なくともわずかにＭＲ可視のフィルム７０を有する少なくとも１つのＭＲ撮像マーカユニットを有する。  本発明は、更に、対応するＭＲＩ装置１４及びＭＲガイド放射線治療システム１０に関する。
2019509811.tif 000002
【特許請求の範囲】
【請求項１】
ＭＲＩ装置、特にＭＲガイド放射線治療システムのＭＲＩ装置に対する機器において、
少なくとも１つのＭＲ撮像マーカユニットであって、前記マーカユニットが、前記機器の電気回路ループの少なくとも１つの導電部分を覆うＭＲ可視フィルムを有し、前記ＭＲ可視フィルムが、前記電気回路ループで受信する場合に可視である、当該マーカユニットと、
前記マーカユニットに対して所定の距離を持つ少なくとも１つのＭＲ撮像アンテナであって、前記ＭＲ可視フィルムが、前記少なくとも１つのＭＲ撮像アンテナ単独で受信する場合に可視ではない、当該少なくとも１つのＭＲ撮像アンテナと、
を有する機器。
【請求項２】
前記ＭＲ撮像マーカユニットが、前記少なくとも１つのＭＲ撮像アンテナとは独立してオフに切り替えられることができる、請求項１に記載の機器。
【請求項３】
前記少なくとも１つのＭＲ撮像アンテナが、放射線治療のために放射線治療システムにより使用される放射線に対して本質的に透明である、請求項１又は２に記載の機器。
【請求項４】
前記マーカユニットが、前記ＭＲ撮像アンテナ又は前記ＭＲ撮像アンテナの少なくとも１つのループの中に配置される、請求項１乃至３のいずれか一項に記載の機器。
【請求項５】
複数のＭＲ撮像マーカユニットを有する、請求項１乃至４のいずれか一項に記載の機器。
【請求項６】
前記ＭＲ可視フィルムの各々が、前記１つの電気回路ループの１つの個別の導電部分を覆う、請求項５に記載の機器。
【請求項７】
前記電気回路ループ及び／又は前記わずかにＭＲ可視のフィルムを支持する基体を有する、請求項１乃至６のいずれか一項に記載の機器。
【請求項８】
前記基体が、前記少なくとも１つのＭＲ撮像アンテナを支持する、請求項７に記載の機器。
【請求項９】
前記基体が、プリント回路基板である、請求項７又は８に記載の機器。
【請求項１０】
前記電気回路ループ及び前記ＭＲ撮像アンテナが、１つの共通のプリアンプに接続するように構成される、請求項３乃至９のいずれか一項に記載の機器。
【請求項１１】
前記電気回路ループ及び前記ＭＲ撮像アンテナのループ又は前記ＭＲ撮像アンテナのループの少なくとも１つが、互いとの導電性相互接続を持つ、請求項３乃至１０のいずれか一項に記載の機器。
【請求項１２】
前記電気回路ループが、ＭＲ撮像アンテナとして使用するように構成される、請求項１乃至１１のいずれか一項に記載の機器。
【請求項１３】
ＭＲＩ装置、特にＭＲガイド放射線治療システムに対するＭＲ装置において、請求項１乃至１２のいずれか一項に記載の機器を有する、ＭＲＩ装置。
【請求項１４】
放射線エミッタと、前記放射線エミッタの放射線ビームをガイドする請求項１３に記載のＭＲＩ装置とを有するＭＲガイド放射線治療システム。
【発明の詳細な説明】
【技術分野】
【０００１】
本発明は、ＭＲＩ（ＭＲＩ：磁気共鳴撮像）装置、特にＭＲ（ＭＲ：磁気共鳴）ガイド放射線治療システムに対する機器に関し、前記機器は、マーカ物質を含むＭＲ撮像マーカを有する。本発明は、更に、対応するＭＲＩ装置及びＭＲガイド放射線治療システムに関する。
【背景技術】
【０００２】
ＭＲガイド放射線治療システムの受信コイルは、画質を最大化し、前記ＭＲガイド放射線治療システムが放射線ビームに対する効率的なＭＲガイドを提供することを可能にするために、治療及び撮像される生体構造の可能な限り近くに配置される。結果として、受信コイルは、放射線ビーム経路に配置され、これは、前記コイルが減衰させる結果となり、治療の実施時に考慮に入れられる必要がありうる放射線治療における非理想性を引き起こすかもしれない。
【０００３】
前記コイルが、前記放射線ビームを減衰させるので、その場所は、放射線量が前記コイルの減衰を補償するように調整されることができるように、正確に知られている必要がある。前記コイルの場所が正確に知られている場合でさえ、及び前記コイルの減衰が、重要ではない又は無視できる可能性があるとしても、最も正確な治療は、累積的な効果を評価することができるために、全ての重要ではない減衰障害物が考慮に入れられることを要求する。ＭＲ撮像において、これらのマーカは、通常、ＭＲＩスキャンにおいて可視である液体カプセルの形のマーカユニットを有する。これらのマーカは、主として、ＭＲ画像において空間的場所を正確に表示するのに使用される。これらのカプセルマーカは、高い放射線減衰を示し、オフに切り替えられることができない（パッシブマーカ）。結果的に、これらは、不所望な画像アーチファクトを作る可能性がある。
【０００４】
文献ＵＳ２０１２／０２２４３４１Ａ１は、放射線エミッタ及びＭＲＩ装置を有するＭＲガイド放射線治療システムを示し、前記ＭＲＩ装置は、機器、ＲＦコイル及びＭＲ撮像マーカを含み、前記マーカは、アクティブ又はパッシブマーカであることができる。アクティブマーカは、例えば、マーカユニットを囲むマーカコイルにエネルギを与えることにより作動される場合にのみ可視である。これらのアクティブマーカの使用は、不所望な画像アーチファクトを減少させる。
【０００５】
ＵＳ２０１５／００３１９８１Ａ１は、高周波アンテナを記載している。前記高周波アンテナは、少なくとも部分的に撮像材料を含む層を含む。これは、前記高周波アンテナが磁気共鳴測定中にどこであるか正確に位置特定することが可能であることを意味する。前記撮像材料を含む層は、前記高周波アンテナユニットの検出面積の少なくとも５０％をカバーする。
【０００６】
ＵＳ２０１５／０１６０３１０は、介入磁気共鳴検査システムに対するコイルシステムを記載している。前記コイルシステムは、貫通テンプレートと同じ形状を持つ開口を有する。前記コイルは、前記開口に配置されたマーカを持つ。前記磁気共鳴マーカ素子は、前記開口の周辺に沿って、前記開口の周りに配置されるチャネルとして作られる。前記チャネルは、磁気共鳴可視流体を受けるように設計される。
【発明の概要】
【発明が解決しようとする課題】
【０００７】
本発明の目的は、更に不所望な画像アーチファクトを減少させるＭＲＩ装置に対する機器、ＭＲＩ装置及びＭＲガイド放射線治療システムを提供することである。
【課題を解決するための手段】
【０００８】
この目的は、独立請求項のフィーチャにより達成される。従属請求項は、本発明の有利な実施例を詳述する。
【０００９】
本発明の様々な実施例によると、前記ＭＲＩ装置に対する機器は、少なくとも１つのＭＲ撮像マーカユニットを有し、前記マーカユニットは、前記機器の電気回路ループの少なくとも１つの導電部分を覆う（少なくともわずかに）ＭＲ可視のフィルムを有する。換言すると、少なくとも前記ループの前記導電部分の近くにある前記フィルムの部分は、前記フィルムが前記電気回路ループに多かれ少なかれ直接的に取り付けられるので、可視になる。これは、前記導電部分に対する距離が減少すると、前記フィルムからの信号が指数関数的に増加するという原理に依存する。前記ＭＲＩマーカユニットは、前記電気回路ループにエネルギを与えることにより作動される場合にのみ可視であるアクティブマーカユニットである。最も単純な場合の１つにおいて、前記機器は、アクティブマーカである。これらの種類のマーカは、いかなる種類の対象にも取り付けられ、基準マーカとして機能することができる。好ましくは、前記ループの前記導電部分の近くにある前記フィルムの小部分のみが、作動される場合に可視になり、前記少なくともわずかにＭＲ可視のフィルムは、「わずかにＭＲ可視の（slightly MR-visible）フィルム」である。
【００１０】
前記機器は、少なくとも１つのＭＲ撮像アンテナ単独で受信する場合に前記ＭＲ可視フィルムが可視ではないように、前記マーカユニットに対して所定の距離を持つ前記少なくとも１つのＭＲ撮像アンテナを更に有する。前記ＭＲ撮像アンテナは、前記ＭＲ可視フィルムから特定の所定の距離に配置され、前記距離は、前記ＭＲ可視フィルムと前記電気回路ループとの間の距離より大きく、前記ＭＲ撮像アンテナは、前記ＭＲ可視フィルムから前記信号を取得せず、少なくとも前記ＭＲ可視フィルムが前記ＭＲ撮像アンテナにより受信された信号から作成されたＭＲ画像において臨床的に関連するアーチファクトを引き起こす程ではない。このようにして、撮像アーチファクト、特に折り重ね（fold over）アーチファクトは、減少されることができる。前記マーカユニットと前記ＭＲ撮像アンテナとの間の距離が、予め決定されているので、前記ＭＲ可視フィルムの位置が既知である場合に前記ＭＲ撮像ユニットの位置を導出することは、可能である。
【００１１】
本発明の実施例によると、前記機器は、前記ＭＲ撮像マーカが前記少なくとも１つのＭＲ撮像アンテナとは独立してオフに切り替えられることができるように構成される。
【００１２】
本発明の好適な実施例によると、前記少なくとも１つのＭＲ撮像マーカユニットは、放射線治療のために前記放射線治療システムにより使用される放射線に対して本質的に透明である、特にＸ線透明である。
【００１３】
本発明の他の好適な実施例によると、前記機器は、前記マーカユニットに対して所定の距離を持つ少なくとも１つのＭＲ撮像アンテナを更に有する。前記ＭＲ撮像アンテナは、（複数の導体ループを持つ）コイル又は少なくとも１つの導体ループを有する。
【００１４】
本発明の更に他の好適な実施例によると、前記マーカユニットは、前記ＭＲ撮像アンテナ又は前記ＭＲ撮像アンテナのうち少なくとも１つのループの中に配置される。
【００１５】
本発明の更に他の好適な実施例によると、前記機器は、複数のＭＲ撮像マーカユニットを有する。好ましくは、前記ＭＲ可視フィルムの各々が、前記電気回路ループの１つの個別の導体部分を覆う。
【００１６】
本発明の他の好適な実施例によると、前記機器は、前記電気回路ループ及び／又は前記わずかにＭＲ可視のフィルムを支持する基体（basic body）を更に有する。好ましくは、前記基体は、前記少なくとも１つのＭＲ撮像アンテナを更に支持する。
【００１７】
本発明の更に他の好適な実施例によると、前記基体は、プリント回路基板である。
【００１８】
本発明の好適な実施例によると、前記電気回路ループ及び前記ＭＲ撮像アンテナは、１つの共通のプリアンプに接続するように構成される。
【００１９】
本発明の他の好適な実施例によると、一方の前記電気回路ループ及び他方の前記ＭＲ撮像アンテナの前記ループ又は前記ＭＲ撮像アンテナの前記ループの少なくとも１つは、互いに導電性相互接続を持つ。
【００２０】
本発明の更に他の好適な実施例によると、前記電気回路ループは、ＭＲ撮像アンテナとして使用するように構成される。好ましくは、前記機器は、２つの電気回路ループを有し、各々が、ＭＲ撮像アンテナとして使用するように構成される。この場合、一方のループは、ＭＲ撮像アンテナとして使用されることができ、他方のループは、前記マーカユニットを形成するように前記わずかにＭＲ可視のフィルムと一緒に使用されることができる。前記マーカユニットは、前記ＭＲ撮像アンテナに対する基準マーカとして使用されることができる。
【００２１】
本発明の様々な実施例によると、前記ＭＲＩ装置は、前述の機器を有する。前記ＭＲＩ装置は、特に、ＭＲガイド線形加速器のようなＭＲガイド放射線治療システムに対するＭＲ装置である。
【００２２】
本発明の様々な実施例によると、前記ＭＲガイド放射線治療システムは、放射線エミッタと、前記放射線エミッタの放射線ビームをガイドする前述のＭＲＩ装置を有する。
【００２３】
本発明のこれら及び他の態様は、以下に記載される実施例を参照して説明され、明らかになるだろう。
【図面の簡単な説明】
【００２４】
【図１】本発明の好適な実施例によるＭＲガイド放射線治療システムを示す。
【図２】ＭＲガイド放射線治療システムのＭＲＩ装置に対する機器の一実施例を示す。
【図３】ＭＲＩ装置に対する機器の他の実施例を示す。
【図４】ＭＲＩ装置に対する機器の他の実施例を示す。
【図５】ＭＲＩ装置に対する機器の更に他の実施例を示す。
【発明を実施するための形態】
【００２５】
図１は、本発明によるＭＲガイド放射線治療システム１０の一実施例を示す。ＭＲガイド放射線治療システム１０は、ＬＩＮＡＣ１２及び磁気共鳴撮像機器（ＭＲＩ機器）１４を有する。ＬＩＮＡＣ１２は、ガントリ１６及びＸ線源１８を有する。ガントリ１６は、ガントリ回転軸の周りでＸ線源１８を回転させるものである。Ｘ線源１８に隣接しているのは、調節可能なコリメータ２０である。調節可能なコリメータ２０は、例えば、Ｘ線源１８のビームプロファイルを調節する調節可能な板を持ちうる。調節可能なコリメータ２０は、例えば、マルチリーフコリメータであってもよい。磁気共鳴撮像機器１４は、磁石２２を有する。
【００２６】
永久又は常伝導磁石を使用することも可能である。異なるタイプの磁石の使用も可能であり、例えば、分割円筒（split cylindrical）磁石及びいわゆる開放（open）磁石の両方を使用することも可能である。分割円筒磁石は、前記磁石のイソプレイン（iso-plane）に対するアクセスを可能にするようにクライオスタットが２つのセクションに分割されていることを除いて、標準的な円筒磁石と同様であり、このような磁石は、例えば、荷電粒子ビーム治療と併せて使用されてもよい。開放磁石は、２つの磁石セクションを持ち、一方は、対象を受けるのに十分に大きい間の空間とともに他方の上であり、前記２つのセクションの構成は、ヘルムホルツコイルのものと同様である。開放磁石は、対象が閉じ込められる度合いが低いので、人気である。前記円筒磁石のクライオスタットの中には、超電導コイルの一群が存在する。本実施例に図示される磁石２２は、標準的な円筒形超伝導磁石である。磁石２２は、中に超電導コイル２６を持つクライオスタット２４を持つ。磁石２２は、ボア２８を持つ。円筒磁石２２のボア２８内には、磁場が磁気共鳴撮像を実行するのに十分に強力かつ一様である撮像ゾーンが存在する。
【００２７】
磁石２２のボア２８内にあるのは、前記磁石の撮像ゾーン内で磁気スピンを空間符号化する磁気共鳴データの取得に対する磁場勾配コイル３０である。磁場勾配コイル３０は、磁場勾配コイル電源３２に接続される。磁場勾配コイル３０は、代表的であると意図され、減衰されることなしに放射線が通過することを可能にするために、これは、通常は、分割コイル設計である。典型的には、磁場勾配コイルは、３つの直交する空間方向において空間符号化するコイルの３つの別々のセットを含む。磁場勾配電源３２は、磁場勾配コイル３０に電流を供給する。磁場コイル３０に供給される電流は、時間の関数として制御され、傾斜又はパルス化されてもよい。
【００２８】
送受信器３６に接続された機器３４が存在し、前記機器は、以下の図に詳細に示される。前記機器は、磁石２２の撮像ゾーン３８に隣接している。撮像ゾーン３８は、磁気共鳴撮像を実行するのに十分である高磁場及び一様性の領域を持つ。機器３４は、前記撮像ゾーン内で磁気スピンの向きを操作し、前記撮像ゾーン内でスピンからの無線送信を受信するためのものでありうる。機器３４は、アンテナ又はチャネルと称されてもよい。機器３４は、専用送信アンテナ及び専用受信アンテナを表すことも意図される。同様に、前記送受信器は、別々の送信器及び受信器を表してもよい。
【００２９】
また、磁石２２のボア２８内にあるのは、対象４２を支持する対象支持台４０である。対象支持台４０は、機械的位置決めシステム４４により位置決めされうる。対象４２内に、目標ゾーン４６が存在する。ガントリ回転軸４８は、この特定の実施例において磁石２２の円筒軸と同軸である。対象支持台４０は、目標ゾーン４６がガントリ回転軸４８上にあるように位置決めされている。Ｘ線源１８は、コリメータ２０及び目標ゾーン４６を通過する放射線ビーム５０を生成するものとして示される。放射線源１８が、軸４８の周りで回転されると、目標ゾーン４６は、常に放射線ビーム５０により標的にされている。放射線ビーム５０は、前記磁石のクライオスタット２４を通過する。磁場勾配コイル３０は、磁場勾配コイル３０を２つのセクションに分離するギャップ５２を持つ。ギャップ５２は、磁場勾配コイル３０による放射線ビーム５０の減衰を減少させた。代替的な実施例において、分割又は開放磁石設計は、磁石２２によるＸ線ビームの減衰を減少させるのに使用される。機器３４は、磁石２２のボアの内側に取り付けられるとみられることができる（図示されない）。
【００３０】
送受信器３６、磁場勾配コイル電源３２及び機械的位置決めシステム４４は、全て、コンピュータシステム５６のハードウェアインタフェース５４に接続されるものとして示されている。コンピュータシステム５６は、機械実行可能命令を実行し、ＭＲガイド放射線治療システム１０の動作及び機能を制御するプロセッサ５８を更に有するものとして示される。ハードウェアインタフェース５４は、プロセッサ５８がＭＲガイド放射線治療システム１０とインタラクトし、制御することを可能にする。プロセッサ５８は、ユーザインタフェース６０、コンピュータ記憶部６２及びコンピュータメモリ６４に接続されるものとして更に示される。
【００３１】
コンピュータ記憶部６２は、治療計画及び機器３４のＸ線透過モデルを含む。前記Ｘ線透過モデルは、機器３４の感受性コンポーネントの場所及び機器３４のＸ線透過特性を有してもよい。コンピュータ記憶部６２は、パルスシーケンスを更に含む。ここで使用されるパルスシーケンスは、磁気共鳴データを取得するように磁気共鳴撮像機器１４の様々なコンポーネントを制御するのに使用されるコマンドのセットである。コンピュータ記憶部６２は、磁気共鳴撮像機器１４を使用して取得された磁気共鳴データを含む。
【００３２】
コンピュータ記憶部６２は、前記磁気共鳴データから再構成された磁気共鳴画像を含むものとして更に示される。コンピュータ記憶部６２は、前記磁気共鳴画像の画像位置合わせを含むものとして更に示される。前記画像位置合わせは、磁気共鳴撮像機器１４及びＬＩＮＡＣ１２に対して前記画像の場所を位置合わせする。コンピュータ記憶部６２は、目標ゾーン４６の場所を含むものとして更に示される。これは、前記磁気共鳴画像において識別された。コンピュータ記憶部６２は、制御信号を含むものとして更に示される。前記制御信号は、目標ゾーン４６を照射するようにＬＩＮＡＣ１２を制御するのに使用される制御信号である。
【００３３】
コンピュータメモリ６４は、制御モジュールを含むものとして示される。前記制御モジュールは、プロセッサ５８が医療装置１０の動作及び機能を制御することを可能にするコンピュータ実行可能コードを含む。例えば、前記制御モジュールは、前記磁気共鳴データを取得するのに前記パルスシーケンスを使用してもよい。前記制御モジュールは、ＬＩＮＡＣ１２を制御するのに前記制御信号を使用してもよい。コンピュータメモリ６４は、治療計画修正モジュールを含むものとして更に示される。前記治療計画修正モジュールは、前記Ｘ線透過モデルに含まれる情報を使用して前記治療計画を修正する。コンピュータメモリ６４は、画像再構成モジュールを含むものとして更に示される。前記画像再構成モジュールは、プロセッサ５８が前記磁気共鳴データから前記磁気共鳴画像を再構成することを可能にするコードを含む。
【００３４】
コンピュータメモリ６４は、画像位置合わせモジュールを含むものとして更に示される。前記画像位置合わせモジュールは、プロセッサ５８が前記磁気共鳴画像を使用して目標ゾーン４６の場所において前記画像位置合わせを生成することを可能にするコードを含む。コンピュータメモリ６４は、目標ゾーン場所モジュールを含むものとして更に示される。前記目標ゾーン場所モジュールは、プロセッサ５８が前記画像位置合わせを使用して目標ゾーン４６の場所を生成することを可能にするコードを含む。コンピュータメモリ６４は、制御信号生成モジュールを含むものとして更に示される。前記制御信号生成モジュールは、プロセッサ５８が前記目標ゾーンの場所及び前記治療計画から前記制御信号を生成することを可能にするコードを含む。前記Ｘ線透過モジュールによって修正された後に、前記治療計画が、使用される。
【００３５】
図２は、ＭＲガイド放射線治療システム１０のＭＲＩ装置１４の機器３４を詳細に示す。機器３４は、２つのＭＲ撮像アンテナ６６を有し、各ＭＲ撮像アンテナが、対応するアンテナループ、電気回路ループ６８及び４つのＭＲ撮像マーカユニット７２を持ち、各ユニット７２が、電気回路ループ６８の少なくとも１つの導電部分を覆うわずかにＭＲ可視のフィルム７０を有する。換言すると、図示された前記機器は、ＭＲ撮像アンテナ６６に対する基準マーカとして使用されるアクティブマーカであるＭＲ撮像マーカユニット７２を有する。この種の機器３４は、アンテナ６６及びアクティブ基準マーカを持つＭＲ撮像アンテナ機器である。マーカユニット７２は、電気回路ループ６８にエネルギを与えることにより作動される場合にのみ可視である。ＭＲ撮像アンテナ６６及びマーカユニット７２は、撮像ゾーン３８内に配置される。マーカユニット７２の各々は、ＭＲ撮像アンテナ６６の１つの対応するループの中に配置される。フィルム７０は、多かれ少なかれループ６８に直接的に取り付けられるので、フィルム７０は、可視になる。これは、導体に対する距離が減少すると、フィルム７０からの信号が指数関数的に増加するという原理に依存する。
【００３６】
ＭＲ撮像マーカユニット７２は、放射線治療のために放射線治療システム１０により使用される放射線、特にＸ線に対して本質的に透明である。Ｘ線透明マーカユニット７２に対するこの実施は、マーカユニット７２が放射線ビーム５０の低い減衰を持つことを可能にする。更に、マーカユニット７２がオフに切り替えられることができる形で実施することが可能である。
【００３７】
マーカ切り替えループ６８は、撮像アンテナ６６が決して同時に撮像に対して使用されないので、撮像アンテナ６６の隣接するループから分離される必要はない。マーカ切り替えループ６８の離調ラインは、撮像アンテナ６６の通常の受信ループの離調要素７５とは独立して制御される。（複数の）フィルム７０は、非常に弱いＭＲＩ信号を発し、したがって、銅線（copper trace）が前記フィルムの直ちに隣であるループ６８のみに可視である。したがって、前記フィルムは、撮像アンテナ６６の２つのループで受信する場合に可視ではなく、関心体積に折り込まれない。
【００３８】
この実施例において、前記画像位置合わせモジュールは、前記コンピュータ記憶部に記憶される、アクセサリ場所を生成するように前記磁気共鳴画像においてマーカユニット７２の場所を検出するのに使用される。電気回路ループ６８及びＭＲ撮像アンテナ６６の各々は、対応するプリアンプ７４に電気的に接続可能であり／接続され、それぞれのコイル６６、６８において離調要素７５を有する。
【００３９】
図３は、機器３４の具体的な実施例を示す。機器３４は、ＭＲ撮像アンテナ６６、電気回路ループ６８及びわずかにＭＲ可視のフィルム７０を支持する基体７６を更に有する。前記基体は、導体トラックとして形成されるＭＲ撮像アンテナ６６のループ及び電気回路ループ６８を持つプリント回路基板（ＰＣＢ）として実現される。撮像アンテナ６６のループは、マーカ切り替え電気回路ループ６８から離れている。
【００４０】
既に論じられたように、フィルム７０は、ループ６８に取り付けられるので、可視になる。これは、アンテナの導体に対する距離が減少するにつれて、フィルム７０からの信号が指数関数的に増加するという原理に依存する。図３において、この効果は、受信コイルのＰＣＢの表面にわたって糊付けされたわずかに可視の接着フィルムとして表示される。明るくされた要素は、図３の右側に示されるように接着フィルム及び前記アンテナの銅伝導体の交点である。
【００４１】
図４は、図２の実施例とはわずかに異なる実施例を示す。図４において、マーカ切り替えループ６８の表面積は、撮像アンテナ６６のコイルに対する結合、したがって前記コイルにおける離調要素７５の必要性を減少させるように最小化される。
【００４２】
マーカループ６８が、アンテナ６６のコイルから離れているにもかかわらず、撮像アンテナのループとプリアンプ７４を共有し、したがって余分なチャネルの使用を防ぐことは可能である。換言すると、電気回路ループ６８及びＭＲ撮像アンテナ６６は、１つの共通のプリアンプ７８に接続される。図５は、２つの電気回路ループ６８を持つ機器３４の対応する実施例を示す。電気回路ループ６８及びＭＲ撮像アンテナ６６のループの１つは、互いとの導電性相互接続を持つ。これを詳述すると、前記マーカが切り替え可能である必要性が存在しない場合、テープは、専用ループを持つ代わりに撮像ループと交差するように配置されることができる（図５）。それにもかかわらず、これらのマーカユニット７０をオフに切り替えることは、マーカユニット７０を画するようにボディコイルで撮像することにより行われることができる。
【００４３】
本発明は、図面及び先行する記載に詳細に図示及び記載されているが、このような図示及び記載は、説明用又は典型的であり、限定的ではないと見なされるべきであり、本発明は、開示された実施例に限定されない。開示された実施例に対する他の変形例は、図面、開示及び添付の請求項の検討から、請求された発明を実施する際に当業者により理解及び達成されることができる。請求項において、単語「有する」は、他の要素又はステップを除外せず、不定冠詞「a」又は「an」は、複数を除外しない。特定の方策が相互に異なる従属請求項に記載されているという単なる事実は、これらの方策の組み合わせが有利に使用されることができないことを示さない。請求項内の参照符号は、範囲を限定するように解釈されるべきではない。
【図１】
2019509811.tif 000003
【図２】
2019509811.tif 000004
【図３】
2019509811.tif 000005
【図４】
2019509811.tif 000006
【図５】
2019509811.tif 000007
【国際調査報告】
2019509811.tif 000008
2019509811.tif 000009